(57)【要約】【課題】弾球遊技機が備える遊技盤の背面部に取り付けられ、構造物を収容または保持するのに用いられる裏ベースを、前記構造物の大型化に対応可能とする。【解決手段】裏ベース１０は、上側に配置される上側の分割部品１１と、下側に配置される下側の分割部品１２と、左側に配置される左側の分割部品１３と、右側に配置される右側の分割部品１４と、に分割されており、各分割部品１１〜１４を連結することで一体化されている。本実施形態では、各分割部品１１〜１４は、ＡＢＳ樹脂の射出成形品である。なお、各分割部品１１〜１４の接続端の形状は、隣り合う分割部品の接続端同士でのみ対応する相補的な形状にしてあるから、裏ベース１０を組み立てる際に、各分割部品１１〜１４の相対位置（隣接関係）を間違えるおそれはない。本実施形態では、隣り合う分割部品の接続端同士を接着剤を用いて接着して連結させている。【選択図】図３
2014023764.tif 000002
【特許請求の範囲】
【請求項１】
弾球遊技機が備える遊技盤の背面部に取り付けられ、構造物を収容または保持するのに用いられる裏ベースにおいて、
複数部分に分割して各々を分割部品となすこと
を特徴とする裏ベース。
【請求項２】
隣接する前記分割部品同士を連結する連結構造を有することを特徴とする請求項１に記載の裏ベース。
【発明の詳細な説明】
【技術分野】
【０００１】
本発明は、弾球遊技機が備える遊技盤の背面部に取り付けられ、構造物を収容または保持するのに用いられる裏ベースに関する。
【背景技術】
【０００２】
弾球遊技機の一種であるパチンコ機には、役物や表示装置、主制御基板、表示装置の制御部等が収容されている。
このうち、パチンコ機の中枢となる主制御基板、表示装置の制御部等の基板類については、基板ケースに収容されている。この基板ケースは、基板類を収容した状態で、パチンコ機の外枠に収容された中枠の背面部に取り付けられる（例えば、特許文献１参照。）。
【０００３】
また、役物や表示装置などの構造物については、裏ベースに収容されている。この裏ベースは、上記構造物を収容した状態で、中枠に収容された遊技盤の背面部に取り付けられる。
【先行技術文献】
【特許文献】
【０００４】
【特許文献１】特開２００８−１６７８０７号公報（第４頁、図１）
【発明の概要】
【発明が解決しようとする課題】
【０００５】
上述の裏ベースのサイズは、収容または保持する構造物のサイズに応じたものになるから、収容または保持する構造物が大型化すれば、それに応じて大型化しなければならない。そうなれば、裏ベースを成形するための金型も大型化する。
【０００６】
本発明は、このような課題に鑑みなされたものであり、その目的とするところは、弾球遊技機が備える遊技盤の背面部に取り付けられ、構造物を収容または保持するのに用いられる裏ベースを、その収容または保持する構造物の大型化に対応可能とすることにある。
【課題を解決するための手段】
【０００７】
上記課題を解決するためになされた請求項１に係る裏ベースは、弾球遊技機が備える遊技盤の背面部に取り付けられ、構造物を収容または保持するのに用いられる裏ベースにおいて、複数部分に分割して各々を分割部品となすことを特徴とする。
【０００８】
このように構成された本発明の裏ベースによれば、複数部分に分割して各々を分割部品となすので、当該裏ベースに収容または保持される構造物が大型化しても、当該裏ベースは大型化するものの、当該裏ベースを構成する各々の分割部品は小型にでき、各々の分割部品を成形するための金型も小型にできる。したがって、本発明の裏ベースによれば、収容または保持する構造物の大型化に対応することができる。
【０００９】
また、分割部品の一つ以上を複数の機種で共通して利用できる形状にすれば、分割部品の共通化を図ることができる。
さらに、例えば、分割部品Ａはポリカーボネート、分割部品ＢはＡＢＳというように、分割部品毎に材質を変化させることが可能である。
【００１０】
また、例えば、分割部品Ａは通常の射出成形、分割部品Ｂはインサート成形というように、分割部品毎に成形方法を異ならせることができる。
また、例えば、分割部品Ａにはシール貼付、分割部品Ｂは塗装というように、成形後の加工工程を分割部品毎に異ならせる場合には、各分割部品を対応の工程に回して複数種類の後加工を並行的に行えるので、作業効率が向上する。
【００１１】
また、設計変更があった場合でも、変更が生じた分割部品だけで済み、他の分割部品に影響しないから、例えば金型が無駄になる等のコスト増を回避できる。
また、設計変更があった場合も含めて、耐用試験等を分割部品毎に実施できるので、この点、組立前の各分割部品は比較的小型であり、保管や運搬に際して箱等に収納する場合の充填密度を高くできる。つまり、保管時や運搬時に要するスペースが少なくて済む。
【００１２】
また、請求項２に係る裏ベースは、請求項１に記載の裏ベースにおいて、隣接する前記分割部品同士を連結する連結構造を有することを特徴とする。
このように構成された本発明の裏ベースによれば、隣接する分割部品同士を連結して一体化した後に遊技盤の背面部に取り付けることができるので、複数部分に分割されているにも関わらず、遊技盤への組み付け性も良い。
【図面の簡単な説明】
【００１３】
【図１】実施形態のパチンコ機１の正面図
【図２】実施形態の遊技盤９の正面図
【図３】実施形態の裏ベース１０を示す概略説明図
【図４】別実施形態の裏ベース１１０，１２０，１３０，１４０を示す概略説明図
【発明を実施するための形態】
【００１４】
以下に本発明の実施形態を図面とともに説明する。
［１．パチンコ機１の構成の説明］
図１に示すように、遊技機の一種であるパチンコ機１の前面部には、上から順に盤面窓枠２、皿扉３、下部ユニット４が配されている。
【００１５】
これらは外枠５に保持された中枠６に取り付けられている。盤面窓枠２及び皿扉３はヒンジにて中枠６に軸支され、それぞれ扉状に開閉できるが、下部ユニット４は中枠６に固定されている。下部ユニット４には発射ハンドル４ａや灰皿４ｂが取り付けられている。
【００１６】
盤面窓枠２には円形の窓７が設けられ、その周辺に電飾レンズ８が配されている。また、盤面窓枠２には、窓７を閉塞するためのガラス板７ａが窓７の背後に装着される。そして、盤面窓枠２の背後の窓７に臨んだ位置には、中枠６に保持された遊技盤９が配されている。
【００１７】
［１．１．遊技盤９の構成の説明］
次に、本実施形態の遊技盤９の構成について図２を参照しながら説明する。
遊技盤９は、透明な合成樹脂（本実施例ではポリカーボネート）製である。この遊技盤９には、ガイドレール１０、１１、可変入賞装置１２、ゲート１３、大入賞口１４、普通入賞口１５、庇部材１６、ステージ１７等が取り付けられ、遊技釘１８や風車１９が打ち付けられている。また、庇部材１６とステージ１７とに挟まれた主表示領域２０には、遊技釘１８が打ち付けられておらず、他の装置類も配されていない。この主表示領域２０は、遊技盤９の背後に配された表示装置（図示省略）による図柄の変動表示や、背景画像やキャラクタ等の画像の表示を良好に視認させるための領域である。
【００１８】
また、遊技盤９の背面部には、役物や表示装置などの構造物を収容または保持する裏ベース１０がビスを用いて取り付けられている。なお、遊技盤９の背面部に取り付けられる裏ベース１０を遊技盤９の表側からは視認することはできないため、図２では、裏ベース１０の概略の外形を破線で図示している。
【００１９】
［１．２．裏ベース１０の構成の説明］
次に、本実施形態の裏ベース１０の構成について図３を参照しながら説明する。
裏ベース１０は合成樹脂製であり、遊技盤９の背面部に取り付けられる側（図の裏面側）が開放された箱形状に形成されている。
【００２０】
また、裏ベース１０には、役物や表示装置などの構造物（図示省略）を収容したり保持したりするための構成として、貫通穴や開口、切り欠き、突起などが適宜形成されている。例えば、裏ベース１０の背面部（図の表面側）の中央には、裏ベース１０内部に収容される表示装置（図示省略）の後端部を挿通させるための開口部１０ｂが形成されている。
【００２１】
また、裏ベース１０は、背面から見て上側（図の上側）に配置される上側の分割部品１１と、同じく背面から見て下側（図の下側）に配置される下側の分割部品１２と、同じく背面から見て左側（図の左側）に配置される左側の分割部品１３と、同じく背面から見て右側（図の右側）に配置される右側の分割部品１４と、に分割されており、各分割部品１１〜１４を連結することで一体化されている。本実施形態では、各分割部品１１〜１４は、ＡＢＳ樹脂の射出成形品である。
【００２２】
なお、各分割部品１１〜１４の接続端の形状は、隣り合う分割部品１１〜１４の接続端同士でのみ対応する相補的な形状にしてあるから、裏ベース１０を組み立てる際に、各分割部品１１〜１４の相対位置（隣接関係）を間違えるおそれはない。本実施形態では、隣り合う分割部品１１〜１４の接続端同士を接着剤を用いて接着して連結させている。
【００２３】
［３．実施形態の効果］
（１）このように本実施形態の裏ベース１０によれば、上側の分割部品１１、下側の分割部品１２、左側の分割部品１３および右側の分割部品１４からなる四分割構造となっており、各分割部品１１〜１４を連結することで一体化されているので、当該裏ベース１０に収納または保持する構造物が大型化しても、当該裏ベースは大型化するものの、当該裏ベース１０を構成する各々の分割部品１１〜１４は小型にでき、各々の分割部品１１〜１４を成形するための金型も小型にできる。したがって、本実施形態の裏ベース１０によれば、収納または保持する構造物の大型化に対応することができる。
【００２４】
（２）また、本実施形態の裏ベース１０によれば、分割部品１１〜１４の一つ以上を複数の機種で共通して利用できる形状にすれば、分割部品の共通化を図ることができる。
（３）また、本実施形態の裏ベース１０によれば、設計変更があった場合でも、変更が生じた分割部品だけで済み、他の分割部品に影響しないから、例えば金型が無駄になる等のコスト増を回避できる。
【００２５】
（４）また、本実施形態の裏ベース１０によれば、設計変更があった場合も含めて、耐用試験等を分割部品毎に実施できるので、この点、組立前の各分割部品１１〜１４は比較的小型であり、保管や運搬に際して箱等に収納する場合の充填密度を高くできる。つまり、保管時や運搬時に要するスペースが少なくて済む。
【００２６】
（５）また、本実施形態の裏ベース１０によれば、隣り合う分割部品１１〜１４の接続端同士を接着剤を用いて接着して連結させているので、分割部品１１〜１４を互いに連結して一体化した後に遊技盤９の背面部に取り付けることができる。
【００２７】
［４．他の実施形態］
以上、本発明の一実施形態について説明したが、本発明は上記実施形態に限定されるものではなく、以下のような様々な態様にて実施することが可能である。
【００２８】
（１）上記実施形態では、裏ベース１０を組み立てる際に、隣り合う分割部品１１〜１４の接続端同士を接着剤を用いて接着して連結させているが、これには限られず、隣り合う分割部品１１〜１４同士を他の手法を用いて連結してもよい。例えば、隣り合う分割部品１１〜１４同士をビスを用いて連結するようにしてよいし、隣り合う分割部品１１〜１４同士をリベットを用いて連結するようにしてもよい。また、隣り合う分割部品１１〜１４同士を連結せず、各分割部品毎に遊技盤９の背面部に取り付けるようにしてもよい。
【００２９】
（２）上記実施形態では、裏ベース１０を構成する分割部品１１〜１４はＡＢＳ樹脂の射出成形品であるが、これには限られず、分割部品１１〜１４の一部または全部についてアクリル樹脂やポリカーボネートなど他の樹脂材料を用いてもよいし、アルミニウム合金などの金属材料を用いてもよい。例えば分割部品１１はポリカーボネート、分割部品１２はＡＢＳというように、分割部品毎に材質を変化させることが可能である。また、分割部品１１〜１４の一部または全部について押出成形品やインサート成形品を用いてもよい。例えば、分割部品１１は通常の射出成形、分割部品１２はインサート成形というように、分割部品毎に成形方法を異ならせることができる。
【００３０】
（３）また、例えば、分割部品１１にはシール貼付、分割部品１２は塗装というように、成形後の加工工程を分割部品毎に異ならせてもよい。例えば、各分割部品１１〜１４を対応の工程に回して複数種類の後加工を並行的に行えるので、作業効率が向上する。
【００３１】
（４）上記実施形態では、裏ベース１０が四分割構造となっているが、これには限られない。例えば、図４（ａ）に例示する裏ベース１１０のように上側の分割部品１１１と下側の分割部品１１２とからなる二分割構造としてもよいし、図４（ｂ）に例示する裏ベース１２０のように左側の分割部品１２１と右側の分割部品１２２とからなる二分割構造としてもよい。また、図４（ｃ）に例示する裏ベース１３０のように３つの分割部品１３１〜１３３に分割される三分割構造や、図４（ｄ）に例示する裏ベース１４０のように５つの分割部品１４１〜１４５またはそれ以上の分割部品に分割される構造としてもよい。
【符号の説明】
【００３２】
１…パチンコ機、２…盤面窓枠、３…皿扉、４…下部ユニット、４ａ…発射ハンドル、４ｂ…灰皿、５…外枠、６…中枠、７…窓、７ａ…ガラス板、８…電飾レンズ、９…遊技盤、１０…裏ベース、１０ｂ…開口部、１１〜１４…分割部品、１１０…裏ベース、１１１，１１２…分割部品、１２０…裏ベース、１２１，１２２…分割部品、１３０…裏ベース、１３１〜１３３…分割部品、１４０…裏ベース、１４１〜１４５…分割部品
【図１】
2014023764.tif 000003
【図２】
2014023764.tif 000004
【図３】
2014023764.tif 000005
【図４】
2014023764.tif 000006